(57)【要約】【課題】確変報知モードを遊技者が任意に選択可能なパチンコ遊技機を提供する。【解決手段】パチンコ遊技機１には、確変報知モードを選択する確変報知モード選択ボタン７Ａ，７Ｂ，７Ｃが設けられている。確変報知モード選択ボタン７Ａを押下すると、確変状態であることを必ず報知する確変報知モードが選択される。また、確変報知モード選択ボタン７Ｂを押下すると、確変状態であることを全く報知しない確変報知モードが選択される。さらに、確変報知モード選択ボタン７Ｃを押下すると、確変状態であることをランダムに報知する確変報知モードが選択される。モードＣでは、大当たり終了時に確変状態であることを報知するか否かを抽選することができる。【選択図】図１
2007037920.tif 000002
【特許請求の範囲】
【請求項１】
大当たり終了後に、大当たりの抽選確率を通常状態よりも高めた確変状態を発生可能なパチンコ遊技機において、
前記確変状態が発生していることを遊技者に報知可能な確変報知手段と、
この確変報知手段による確変報知モードを遊技者が任意に選択するための確変報知モード選択手段と、
この確変報知モード選択手段により選択された確変報知モードに基づいて前記確変報知手段を作動させる確変報知制御手段と
を備えることを特徴とするパチンコ遊技機。
【請求項２】
前記確変報知モード選択手段により選択される確変報知モードが、確変状態であることを必ず報知する第１の確変報知モードと、確変状態であることを全く報知しない第２の確変報知モードと、確変状態であることをランダムに報知する第３の確変報知モードとのいずれか１つである請求項１記載のパチンコ遊技機。
【請求項３】
前記第３の確変報知モードでは、大当たり終了時に確変状態になれば、確変状態であることを報知するか否かを抽選する請求項２記載のパチンコ遊技機。
【請求項４】
前記確変報知モード選択手段により選択された確変報知モードに応じて、大当たり抽選確率を変化させる請求項１ないし３のいずれか１項に記載のパチンコ遊技機。
【請求項５】
前記確変報知モード選択手段により選択された確変報知モードに応じて、時短の継続期間を変化させる請求項１ないし４のいずれか１項に記載のパチンコ遊技機。
【発明の詳細な説明】
【技術分野】
【０００１】
本発明はパチンコ遊技機に関し、特に大当たり終了後に確変（確率変動）状態を発生可能なパチンコ遊技機に関する。
【背景技術】
【０００２】
従来の大当たり終了後に、大当たりの抽選確率を通常状態よりも高めた確変状態を発生可能なパチンコ遊技機（いわゆる確変機）は、（１）確変状態であることを必ず報知するタイプ、（２）確変状態であることを全く報知しないタイプ、（３）確変状態であることをランダムに報知するタイプの３つに大別される。
【０００３】
特許文献１には、確変状態であることをランダムに表示するパチンコ遊技機が開示されている。
【特許文献１】特開２０００−０００３７１号公報
【発明の開示】
【発明が解決しようとする課題】
【０００４】
従来、遊技者は確変状態であることの報知（確変報知）に関して自分の好みに合うタイプのパチンコ遊技機を選択するようにしているが、全てのタイプが１店舗内に設置されることはまずないので、自ずと選択の範囲は限られてしまっていた。
【０００５】
また、同一機種のパチンコ遊技機においても確変報知に関して全てのタイプが製造されるとは限らないので、機種は好きだがタイプが選べないといったこともよくあった。
【０００６】
本発明は、上記した背景をもとになされたもので、遊技者が自身の好みに合う確変報知モードを選択できるようにしたパチンコ遊技機を提供することを課題とする。
【課題を解決するための手段及び発明の効果】
【０００７】
上記課題を解決するために、請求項１記載のパチンコ遊技機は、大当たり終了後に、大当たりの抽選確率を通常状態よりも高めた確変状態を発生可能なパチンコ遊技機において、前記確変状態が発生していることを遊技者に報知可能な確変報知手段と、この確変報知手段による確変報知モードを遊技者が任意に選択するための確変報知モード選択手段と、この確変報知モード選択手段により選択された確変報知モードに基づいて前記確変報知手段を作動させる確変報知制御手段とを備えたことを特徴とする。請求項１記載のパチンコ遊技機によれば、遊技者は、自分の好みに合う確変報知モードを任意に選択することができるので、１台のパチンコ遊技機で常に満足のいく遊技を楽しむことができる。また、遊技者は、気分によって確変報知モードを自由に変えることも可能であり、遊技に変化が生じて興趣を高めることができる。さらに、パチンコ店では、同じ機種のパチンコ遊技機で複数の確変報知タイプのパチンコ遊技機を揃える必要がなくなり、設置コストおよび運用コストが低下するとともに、確変報知タイプの相違に基づく遊技者のパチンコ遊技機のえり好みがなくなるので、パチンコ遊技機の稼働率を高めることができる。
【０００８】
請求項２記載のパチンコ遊技機は、請求項１記載のパチンコ遊技機において、前記確変報知モード選択手段により選択される確変報知モードが、確変状態であることを必ず報知する第１の確変報知モードと、確変状態であることを全く報知しない第２の確変報知モードと、確変状態であることをランダムに報知する第３の確変報知モードとのいずれか１つであることを特徴とする。請求項２記載のパチンコ遊技機によれば、確変状態であることを必ず報知する第１の確変報知モードおよび確変状態であることを全く報知しない第２の確変報知モードの他に、確変状態であることをランダムに報知する第３の確変報知モードも設けたので、遊技者による確変報知モードの選択肢が多く、遊技者は確変報知モードを自由に変えることにより、常に満足のいく遊技を楽しむことができる。
【０００９】
請求項３記載のパチンコ遊技機は、請求項２記載のパチンコ遊技機において、前記第３の確変報知モードでは、大当たり終了時に確変状態であれば、確変状態であることを報知するか否かを抽選することを特徴とする。請求項３記載のパチンコ遊技機によれば、第３の確変報知モードでは、大当たり終了時に確変状態であれば、確変報知を行うか否かが抽選されるので、確変報知が行われる場合には遊技者に安心感を与える一方、確変報知が行われない場合には遊技者に確変状態が続いているのかどうかを推測する楽しみを与えて、興趣を高めることができる。
【００１０】
請求項４記載のパチンコ遊技機は、請求項１ないし３のいずれか１項に記載のパチンコ遊技機において、前記確変報知モード選択手段により選択された確変報知モードに応じて、大当たり抽選確率を変化させることを特徴とする。請求項４記載のパチンコ遊技機によれば、確変報知モードに応じて大当たり抽選確率を変化させることで、確変報知の有無に起因する有利・不利を相殺することができる。
【００１１】
請求項５記載のパチンコ遊技機は、請求項１ないし４のいずれか１項に記載のパチンコ遊技機において、前記確変報知モード選択手段により選択された確変報知モードに応じて、時短の継続期間を変化させることを特徴とする。請求項５記載のパチンコ遊技機によれば、確変報知モードに応じて時短継続期間を変化させることで、確変報知の有無に起因する有利・不利を相殺することができる。
【発明を実施するための最良の形態】
【００１２】
確変報知モード選択手段を設けることにより、遊技者が自身の好みに合わせて確変状態であることを報知する確変報知モードを選択できるようにした。
【００１３】
以下、本発明のパチンコ遊技機の実施例について、図面を参照して説明する。
【実施例１】
【００１４】
図１は、本発明の実施例１に係るパチンコ遊技機１を示す正面模式図である。図２は、図１中の表示装置１０の表示画面を拡大して示す模式図である。図３は、本実施例１に係るパチンコ遊技機１の電気的な構成を示す回路ブロック図である。
【００１５】
図１に示すように、パチンコ遊技機１は、台枠に取り付けられた透明ガラス板でなる前面扉２と、台枠の内側に配置されて前面扉２によって覆われる遊技盤３とを有する。遊技盤３の下方には、玉供給皿４および玉払出皿５が設けられている。玉払出皿５の右方（図１で見て）には、玉の発射装置１１０（図３参照）を操作するハンドル６が設けられている。
【００１６】
玉供給皿４の左端寄り（図１で見て）の前面壁（または上面壁）には、確変報知モードを選択する確変報知モード選択ボタン７Ａ，７Ｂ，７Ｃが設けられている。確変報知モード選択ボタン７Ａを押下すると、確変状態であることを必ず報知する確変報知モード（以下、モードＡとする）が選択される。また、確変報知モード選択ボタン７Ｂを押下すると、確変状態であることを全く報知しない確変報知モード（以下、モードＢとする）が選択される。さらに、確変報知モード選択ボタン７Ｃを押下すると、確変状態であることをランダムに報知する確変報知モード（以下、モードＣとする）が選択される。モードＣでは、大当たり終了時に確変状態であれば確変状態であることを報知するか否かを抽選する。確変報知モード選択ボタン７Ａ，７Ｂ，７Ｃは、本発明の確変報知モード選択手段に相当する。なお、確変報知モード選択ボタン７Ａ，７Ｂ，７Ｃを３つ設けるようにしたが、１つの確変報知モード選択ボタンを設け、確変報知モード選択ボタンを押下するごとに確変報知モードがモードＡ〜Ｃにサイクリックに変化するようにしてもよい。
【００１７】
遊技盤３の中央部には、液晶表示装置等でなる表示装置１０が設けられ、表示装置１０の左方（図１で見て）には、いわゆる通過ゲートである普図始動入賞ゲート１１が設けられている。また、表示装置１０の下方（図１で見て）には、いわゆるチャッカーである特図始動入賞口１２が設けられている。さらに、特図始動入賞口１２の下方（図１で見て）には、いわゆるアタッカー（第１種特別電動役物）である大入賞装置１３が設けられている。さらにまた、大入賞装置１３の下方（図１で見て）には、玉の排出口１４が形成されている。
【００１８】
図２に示すように、表示装置１０には、特図表示部２１と、普図表示部２２と、特図保留表示部２３と、確変報知モード表示部２４と、確変報知部２５とが設けられている。なお、図示しないが、普図の保留玉数を表示する普図保留玉表示部は、遊技盤３の適宜位置に設けられている。
【００１９】
特図表示部２１は、表示装置１０の中央に大きく設けられ、特図の抽選結果により決定された３桁のアラビア数字等のキャラクタでなる図柄が表示される。
【００２０】
普図表示部２２は、表示装置１０の右下隅部に小さく設けられ、後述する普図用保留玉記憶領域Ｒ１１〜Ｒ１４（図４参照）に記憶されている普図の保留玉情報に基づいて２桁の図柄を変動表示する。普図の図柄は「○」，「×」の２種類で、２桁ともに「○」が表示された場合を当たりとしている。
【００２１】
特図保留表示部２３は、表示装置１０の下縁中央に沿って小さく設けられ、後述する特図用保留玉記憶領域Ｒ２１〜Ｒ２４（図４参照）に記憶されている保留玉情報の数（保留玉数）に対応した図柄が、「●」，「○」の４桁のキャラクタで表示される。「●」の表示数が保留玉数に相当する。
【００２２】
確変報知モード表示部２４は、表示装置１０の左下隅部に小さく設けられ、「モードＡ」，「モードＢ」，「モードＣ」のいずれかの確変報知モードが表示される。
【００２３】
確変報知部２５は、表示装置１０の上縁中央に沿って小さく設けられ、「ただいま確変中！」等の確変であることを示すメッセージ，図柄等が表示される。確変報知部２５は、本発明の確変報知手段に相当する。
【００２４】
図１に戻って、普図始動入賞ゲート１１は、賞球がない通過ゲートであり、玉が普図始動入賞ゲート１１を通過すると、普図の抽選処理が行われる。普図の抽選結果が当たりであったときには、特図始動入賞口１２の後述する電動チューリップ（以下、電チューと略記する）１２ａ，１２ａが所定時間だけ開放される。
【００２５】
特図始動入賞口１２は、入賞口の両側に可動部材でなる電チュー１２ａ，１２ａが揺動可能に設けられている。なお、電チュー１２ａ，１２ａの閉鎖時に、特図始動入賞口１２に玉が入賞できるようにしても、玉が入賞できないようにしてもよい。特図始動入賞口１２に玉が入賞すると、所定数個の賞球の払出が行われ、特図始動入賞処理（図５参照）が起動される。
【００２６】
大入賞装置１３は、詳しくは図示しないが、入賞口に蓋部材を設けて構成されており、蓋部材の閉鎖時に玉の入賞を不可とし、蓋部材の開放時に玉の入賞を可能にする可変入賞装置である。大入賞装置１３に玉が入賞すると、所定数個の賞球の払出が行われる。
【００２７】
図３を参照すると、パチンコ遊技機１は、主制御基板１００を備え、主制御基板１００は、表示装置１０を制御する表示制御基板１０１と、アンプ／スピーカ１０４を制御する音声制御基板１０３と、ランプ類１０６を制御するランプ制御基板１０５と、払出装置１０８を制御する払出制御基板１０７と、発射装置１１０を制御する発射制御基板１０９と、普図始動入賞ゲート１１に併設されたゲート通過検出器１１１と、特図始動入賞口１２に併設された始動入賞検出器１１２と、大入賞装置１３に併設された大入賞検出器１１３と、確変報知モード選択ボタン７Ａ，７Ｂ，７Ｃに連動する確変報知モード選択スイッチ１１４Ａ，１１４Ｂ，１１４Ｃと、電チュー１２ａ，１２ａを開閉する電チューソレノイド１１５と、大入賞装置１３を開閉する大入賞ソレノイド１１６と、各基板に所定電圧を供給する電源回路部１１７とに接続されている。
【００２８】
主制御基板１００は、主回路１２０を搭載しており、主回路１２０は、ＣＰＵ（Central Processing Unit）１２１，プログラム格納用のＲＯＭ（Read Only Memory）１２２，ワークエリアや各種カウンタ等が割り当てられるＲＡＭ（Random Access Memory）１２３，Ｉ／Ｏ（Input／Output）１２４等を備える。
【００２９】
表示制御基板１０１は、主回路１２０より入力される表示制御信号に応じて、表示装置１０に画像を表示させるための処理を実行する。音声制御基板１０３は、入力される音声制御信号に応じてアンプ／スピーカ１０４より音声を出力させる。ランプ制御基板１０５は、入力されるランプ制御信号に応じてランプ類１０６の点灯／消灯を制御する。払出制御基板１０７は、入力される賞球信号に応じて所定数個の賞球が払い出されるように払出装置１０８を制御する。発射制御基板１０９は、遊技者がハンドル６を操作することに応じて、該ハンドル６に対応して設けられた発射装置１１０を作動させる。ハンドル６の操作量に応じて、玉の打出し強さ（玉の飛距離）を調節することが可能となっている。
【００３０】
図４を参照すると、主回路１２０のＲＡＭ１２３上には、少なくとも、普図用保留玉記憶領域Ｒ１１〜Ｒ１４と、特図用保留玉記憶領域Ｒ２１〜Ｒ２４と、確変フラグＦ１と、大当たりフラグＦ２と、普図当たり判定カウンタＣ１と、大当たり判定カウンタＣ２と、確変転落判定カウンタＣ３と、確変報知判定カウンタＣ４と、図柄変動タイマＴ１等の各変数領域が確保されている。
【００３１】
普図用保留玉記憶領域Ｒ１１〜Ｒ１４は、普図の抽選時に最大４つの普図保留玉情報が格納される領域である。
【００３２】
特図用保留玉記憶領域Ｒ２１〜Ｒ２４は、特図の抽選時に最大４つの特図保留玉情報が格納される領域である。
【００３３】
確変フラグＦ１は、確変状態であるときにＯＮ、通常状態であるときにＯＦＦとされるフラグである。
【００３４】
大当たりフラグＦ２は、大当たり時にＯＮ、大当たりでないときにＯＦＦとされるフラグである。
【００３５】
普図当たり判定カウンタＣ１は、そのカウンタ値がパチンコ遊技機１の電源投入時に「０」から始まり、所定の割り込み時間（例えば４ｍｓ）ごとに１ずつ加算され、カウンタ値が「９」になると、次に再び「０」に戻って前記加算をサイクリックに繰り返すようになっている。普図当たり判定カウンタＣ１のカウンタ値は、玉が普図始動入賞ゲート１１を通過したときに取得されて、予め決定されている普図当選カウンタ値である、例えば「７」と照合される。
【００３６】
大当たり判定カウンタＣ２は、そのカウンタ値がパチンコ遊技機１の電源投入時に「０」から始まり、所定の割り込み時間（例えば４ｍｓ）ごとに１ずつ加算され、カウンタ値が「２９９」になると、次に再び「０」に戻って前記加算をサイクリックに繰り返すようになっている。大当たり判定カウンタＣ２のカウンタ値は、玉が特図始動入賞口１２に入賞して始動入賞検出器１１２によって検出されたときに取得されて、通常時には予め決定されている通常時当選カウンタ値である、例えば「７」と照合される。また、確変時には予め決定されている確変時当選カウンタ値である、例えば「７」，「１７」，「３７」，「５７」，「７７」と照合される。したがって、通常時の大当たり抽選確率は、１／３００となり、確変時の大当たり抽選確率は１／６０となって、確変時には大当たり抽選確率が通常時の５倍に高められる。また、当たり／ハズレの判定が終了するまでの間に、玉が特図始動入賞口１２に入賞して大当たり判定カウンタＣ２のカウンタ値が再び取得されることがあるため、大当たり判定カウンタＣ２のカウンタ値は、現在大当たり判定中のカウンタ値を除いて最大４個が、主回路１２０のＲＡＭ１２３の特図用保留玉記憶領域Ｒ１１〜Ｒ１４に格納され、順次判定に供される。
【００３７】
確変転落判定カウンタＣ３は、そのカウンタ値が、パチンコ遊技機１の電源投入時に「０」から始まり、所定の割り込み時間（例えば４ｍｓ）ごとに１ずつ加算され、カウンタ値が「９９」になると、次に再び「０」に戻って前記加算をサイクリックに繰り返すようになっている。確変転落判定カウンタＣ３のカウンタ値は、玉が特図始動入賞口１２に入賞して始動入賞検出器１１２によって検出されたときに取得されて、確変状態中は予め決定されている転落カウンタ値である「９」，「１９」と照合される。したがって、確変転落確率は、１／５０となる。なお、通常状態においては、上記カウンタ値を取得することはない。
【００３８】
確変報知判定カウンタＣ４は、そのカウンタ値がパチンコ遊技機１の電源投入時に「０」から始まり、所定の割り込み時間（例えば４ｍｓ）ごとに１ずつ加算され、カウンタ値が「９９」になると、次に再び「０」に戻って前記加算をサイクリックに繰り返すようになっている。確変報知判定カウンタＣ４のカウンタ値は、確変報知開始処理において確変報知モードがモードＣであるときに取得されて、予め決定されている確変報知カウンタ値である偶数値（または奇数値）と照合される。したがって、確変報知確率は、１／２となる。なお、確変報知をランダムに行うために確変報知確率を１／２としたが、遊技者の一般的な好み等に基づいて確変報知確率を１／３，１／４等に変更するようにしてもよい。
【００３９】
図柄変動タイマＴ１は、図柄変動時間を計測するタイマである。
【００４０】
次に、このように構成された実施例１に係るパチンコ遊技機１の動作について、図５〜図９のフローチャートを参照しながら説明する。
【００４１】
パチンコ遊技機１への電源投入後、玉供給皿４に準備された玉は、ハンドル６を含んで構成される発射装置１１０によって遊技盤３に向けて発射される。遊技盤３に達した玉は、遊技盤３の盤面上を流下する。
【００４２】
遊技盤３の盤面上を流下する玉が普図始動入賞ゲート１１を通過すると、ゲート通過検出器１１１が、これを検出して、通過検出信号を主回路１２０に送信する。
【００４３】
主回路１２０は、ゲート通過検出器１１１からの通過検出信号を受信すると、ＲＡＭ１２３上の普図当たり判定カウンタＣ１からカウンタ値（乱数値）を取得し、そのカウンタ数値が所定の普図当たりカウンタ値に一致するか否かを判定することにより普図の抽選を行う。主回路１２０は、普図の抽選結果を保留玉情報として、ＲＡＭ１２３に割り当てられた普図用保留玉記憶領域Ｒ１１〜Ｒ１４に一時的に記憶する。また、主回路１２０は、普図表示部２２において新たな普図変動表示処理を行うことができるかどうかを確認してから、普図の抽選結果を普図用保留玉記憶領域Ｒ１１〜Ｒ１４から読み出し、普図表示部２２にて普図変動表示処理を開始する。なお、新たな普図変動表示処理を行うことができない場合（先の普図の抽選結果に係る普図変動表示処理が行われている場合、あるいは後に説明する当たり処理が行われている場合）、普図の抽選結果は、４個を上限として普図用保留玉記憶領域Ｒ１１〜Ｒ１４に記憶される。
【００４４】
普図変動表示処理において、主回路１２０は、ＲＡＭ１２３の普図用保留玉記憶領域Ｒ１１〜Ｒ１４から読み出した普図の抽選結果を受けて、表示すべき図柄を決定し、当該決定した図柄で停止する。普図が当たり図柄で停止すると、当たり状態となる。なお、当たり図柄で停止する確率（当たり確率）は、常に一定であり、例えば３／１０に設定されている。
【００４５】
普図の抽選で当たり状態になると、主回路１２０は、特図始動入賞口１２の電チュー１２ａ，１２ａを開放する当たり処理を開始する。具体的には、主回路１２０は、確変状態が発生していない通常状態においては、電チューソレノイド１１５を駆動して特図始動入賞口１２の電チュー１２ａ，１２ａを、所定の開放時間（例えば０．２秒間）だけ開放する。一方、確変状態においては、主回路１２０は、特図始動入賞口１２の電チュー１２ａ，１２ａを、電チューソレノイド１１５を駆動して別の所定の開放時間（例えば５秒間）だけ開放する。これにより、特図始動入賞口１２への玉の入賞率が高まるとともに、上記開放時間経過後、電チュー１２ａ，１２ａが閉鎖状態となり、開放状態と比べて玉の入賞率が低くなる。
【００４６】
遊技盤３の盤面上を流下する玉が、電チュー１２ａ，１２ａの開閉のいかんにかかわらず、特図始動入賞口１２に入賞すると、始動入賞検出器１１２が、これを検出して、入賞検出信号を主回路１２０に送信する。
【００４７】
特図始動入賞処理では、主回路１２０は、始動入賞検出器１１２からの入賞検出信号に基づいて特図始動入賞口１２への玉の入賞があったかどうかを判定しており（図５のＳ１０１）、特図始動入賞口１２への玉の入賞がないと判定されれば（図５のＳ１０１：ＮＯ）、特図始動入賞処理を終了する。
【００４８】
始動入賞検出器１１２からの入賞検出信号に基づいて特図始動入賞口１２への玉の入賞があったと判定されると（図５のＳ１０１：ＹＥＳ）、主回路１２０は、特図保留表示部２３に表示されている保留玉数が４未満かどうかを判定し（図５のＳ１０２）、保留玉数が４未満でなければ（図５のＳ１０２：ＮＯ）、特図始動入賞処理を終了する。すなわち、特図抽選結果の保留玉情報が４を超えるので、特図の抽選処理を行うことなしに、特図始動入賞処理を終了する。
【００４９】
保留玉数が４未満であれば（図５のＳ１０２：ＹＥＳ）、主回路１２０は、大当たり判定カウンタＣ２のカウンタ値を抽出し（図５のＳ１０３）、確変フラグＦ１がＯＮであるかどうかを判定する（図５のＳ１０４）。確変フラグＦ１がＯＮでなければ、すなわち、確変状態でなければ（図５のＳ１０４：ＮＯ）、主回路１２０は、ステップＳ１０５をスキップしてステップＳ１０６に移行し、抽出したカウンタ値を保留玉情報として記憶する。
【００５０】
確変フラグＦ１がＯＮであれば、すなわち確変状態であれば（図５のＳ１０４：ＹＥＳ）、主回路１２０は、確変転落判定カウンタＣ３のカウンタ値を抽出し（図５のＳ１０５）、大当たり判定カウンタＣ２のカウンタ値とともに、ＲＡＭ１２３の特図用保留玉記憶領域Ｒ２１〜２４に保留玉情報として記憶し（図５のＳ１０６）、保留玉数を１つ加算（インクリメント）して（図５のＳ１０７）、特図始動入賞処理を終了する。
【００５１】
特図変動開始処理では、主回路１２０は、大当たりフラグＦ２がＯＮであるかどうかを判定し（図６のＳ２０１）、大当たりフラグＦ２がＯＮであれば、すなわち大当たり中であれば（図６のＳ２０１：ＹＥＳ）、特図変動開始処理を終了する。
【００５２】
大当たりフラグＦ２がＯＮでなければ（図６のＳ２０１：ＮＯ）、主回路１２０は、ＲＡＭ１２３上の特図用保留玉記憶領域Ｒ２１〜２４に記憶されている保留玉情報の数（保留玉数）が１つ以上であるかどうかを判定し（図６のＳ２０２）、保留玉数が１以上でなければ（図６のＳ２０２：ＮＯ）、特図変動開始処理を終了する。
【００５３】
保留玉数が１以上であれば（図６のＳ２０２：ＹＥＳ）、主回路１２０は、ＲＡＭ１２３上の特図用保留玉記憶領域Ｒ２１〜２４から保留玉情報を読み込み（図６のＳ２０３）、保留玉数を１つ減算（デクリメント）し（図６のＳ２０４）、確変報知モードに対応する所定の当選カウンタ値と照合する（図６のＳ２０５）。
【００５４】
詳しくは、いま通常時であれば、主回路１２０は、保留玉情報の特図抽選結果のカウンタ値を、通常時当選カウンタ値「７」と照合する。このときの大当たり抽選確率は、１／３００となる。また、確変時で確変報知モードがモードＡであれば、主回路１２０は、保留玉情報の特図抽選結果のカウンタ値を、モードＡでの確変時当選カウンタ値「７」，「１７」，「３７」，「５７」と照合する。このときの大当たり抽選確率は、４／３００＝１／７５となる。さらに、確変時で確変報知モードがモードＢであれば、保留玉情報の特図抽選結果のカウンタ値を、モードＢでの確変時当選カウンタ値「７」，「１７」，「３７」，「５７」，「７７」，「９７」と照合する。このときの大当たり抽選確率は、６／３００＝１／５０となる。さらにまた、確変時で確変報知モードがモードＣであれば、主回路１２０は、保留玉情報の特図抽選結果のカウンタ値を、モードＣでの確変時当選カウンタ値「７」，「１７」，「３７」，「５７」，「７７」と照合する。このときの大当たり抽選確率は、５／３００＝１／６０となる。このように、通常時と確変時との間ばかりでなく、確変時の確変報知モードに応じても、大当たり抽選確率を変化させるようにしたのは、確変報知モードがモードＡの場合には、確変状態であることが必ず報知されるので、確変報知モードが確変状態であることが全く報知されないモードＢや、確変状態であることが報知されたり報知されなかったりするモードＣの場合と比べて有利であるので、その有利・不利を相殺するように大当たり抽選確率を変化させるようにしたものである。このように、各モード間の有利・不利を無くすことによって、遊技者は安心して自分の好みに合うモードを選択することができるという効果がある。
【００５５】
次に、主回路１２０は、特図抽選結果のカウンタ値と通常時当選カウンタ値または確変時当選カウンタ値との照合結果に基づいて大当たり当選かどうかを判定する（図６のＳ２０６）。すなわち、照合結果が一致であれば、大当たり当選であると判定する。
【００５６】
大当たり当選であれば（図６のＳ２０６：ＹＥＳ）、主回路１２０は、大当たり図柄を決定する（図６のＳ２０７）。
【００５７】
一方、大当たり当選でなければ（図６のＳ２０６：ＮＯ）、主回路１２０は、ハズレ図柄を決定する（図６のＳ２０８）。次に、主回路１２０は、抽出した確変転落判定カウンタＣ３のカウンタ値を当選カウンタ値と照合し（図６のＳ２０９）、一致していれば（図６のＳ２０９：ＹＥＳ）、確変フラグＦ１をＯＦＦして確変状態を終了させる（図６のＳ２１０）。
【００５８】
大当たり図柄またはハズレ図柄の決定後、主回路１２０は、図柄変動パターンを決定し（図６のＳ２１１）、図柄変動を開始し（図６のＳ２１２）、図柄変動タイマＴ１をスタートし（図６のＳ２１３）、特図変動開始処理を終了する。
【００５９】
特図変動停止処理では、主回路１２０は、図柄変動タイマＴ１がアップしたかどうかを判定し（図７のＳ３０１）、図柄変動タイマＴ１がアップしていなければ（図７のＳ３０１：ＮＯ）、特図変動停止処理を終了する。
【００６０】
図柄変動タイマＴ１がアップしていれば（図７のＳ３０１：ＹＥＳ）、主回路１２０は、特図の変動を停止し（図７のＳ３０２）、大当たり図柄であるかどうかを判定する（図７のＳ３０３）。
【００６１】
大当たり図柄であれば（図７のＳ３０３：ＹＥＳ）、主回路１２０は、大当たりフラグＦ２をＯＮして、すなわち大当たり状態にして（図７のＳ３０４）、特図変動停止処理を終了する。
【００６２】
大当たり図柄でなければ（図７のＳ３０３：ＮＯ）、主回路１２０は、確変報知部２５に確変報知メッセージ「ただいま確変中！」を表示中、すなわち確変報知中かどうかを判定し（図７のＳ３０５）、確変報知中でなければ（図７のＳ３０５：ＮＯ）、特図変動停止処理を終了する。
【００６３】
確変報知中であれば（図７のＳ３０５：ＹＥＳ）、主回路１２０は、確変フラグＦ１がＯＮであるかどうかを判定し（図７のＳ３０６）、確変フラグＦ１がＯＮであれば、すなわち確変状態であれば（図７のＳ３０６：ＹＥＳ）、特図変動停止処理を終了する。
【００６４】
確変フラグＦ１がＯＮでなければ、すなわち確変状態から通常状態に転落していれば（図７のＳ３０６：ＮＯ）、主回路１２０は、確変報知部２５に表示された確変報知メッセージ「ただいま確変中！」を消去し（図７のＳ３０７）、特図変動停止処理を終了する。
【００６５】
また、主回路１２０は、定期的に確変報知モード設定処理を起動する。確変報知モード設定処理では、主回路１２０は、大当たりフラグがＯＮかどうかを判定し（図８のＳ４０１）、大当たりフラグがＯＮでなければ、すなわち大当たり中でなければ（図８のＳ４０１：ＮＯ）、確変報知モードの設定（変更）を受け付けずに確変報知モード設定処理を終了する。このように、大当たり中でなければ、確変報知モードの設定（変更）を受け付けないようにしたのは、時期的制限を設けずに確変報知モードの設定（変更）を常時受け付けるようにした場合には、確変報知モード設定処理と確変報知モードを参照する他の処理との先後関係が複雑となって高度のプログラミングが必要になること、確変報知モード選択ボタン７Ａ，７Ｂ，７Ｃをみだりに押下して壊す遊技者が出てくるおそれがあること、大当たり中には主回路１２０の負荷が比較的少なく確変報知モードの設定（変更）を無理なく行えること等の理由からである。なお、それらの理由があったとしても、大当たり終了後に確変報知モードの設定（変更）を行うことができるようにしてもよいことはもちろんである。
【００６６】
大当たりフラグがＯＮであれば、すなわち大当たり中であれば（図８のＳ４０１：ＮＯ）、主回路１２０は、遊技者により確変報知モード選択ボタン７Ａが押下され確変報知モード選択スイッチ１１４ＡがＯＮであるかどうかを判定する（図８のＳ４０２）。確変報知モード選択スイッチ１１４ＡがＯＮであれば（図８のＳ４０２：ＹＥＳ）、主回路１２０は、確変報知モードをモードＡに設定して（図８のＳ４０３）、確変報知モード設定処理を終了する。
【００６７】
確変報知モード選択スイッチ１１４ＡがＯＮでなければ（図８のＳ４０２：ＮＯ）、主回路１２０は、遊技者により確変報知モード選択ボタン７Ｂが押下され確変報知モード選択スイッチ１１４ＢがＯＮであるかどうかを判定する（図８のＳ４０４）。確変報知モード選択スイッチ１１４ＢがＯＮであれば（図８のＳ４０４：ＹＥＳ）、主回路１２０は、確変報知モードをモードＢに設定して（図８のＳ４０５）、確変報知モード設定処理を終了する。
【００６８】
確変報知モード選択スイッチ１１４ＢがＯＮでなければ（図８のＳ４０４：ＮＯ）、主回路１２０は、遊技者により確変報知モード選択ボタン７Ｃが押下され確変報知モード選択スイッチ１１４ＣがＯＮであるかどうかを判定する（図８のＳ４０６）。確変報知モード選択スイッチ１１４ＣがＯＮであれば（図８のＳ４０６：ＹＥＳ）、主回路１２０は、確変報知モードをモードＣに設定して（図８のＳ４０７）、確変報知モード設定処理を終了する。
【００６９】
確変報知開始処理では、主回路１２０は、大当たりフラグＦ２がＯＦＦであるかどうかに基づいて大当たり終了かどうかを判定し（図９のＳ５０１）、大当たり終了でなければ（図９のＳ５０１：ＮＯ）、確変報知開始処理を終了する。
【００７０】
大当たり終了であれば（図９のＳ５０１：ＹＥＳ）、主回路１２０は、確変フラグＦ１をＯＮする（図９のＳ５０２）。これにより、パチンコ遊技機１は、確変状態となり、この確変状態は、始動入賞時に実行する確変転落抽選に当選し確変フラグがＯＦＦされる（図６のＳ２１０）まで継続する。
【００７１】
次に、主回路１２０は、確変報知モードが確変状態であることをランダムに報知するモードＣであるかどうかを判定する（図９のＳ５０３）。
【００７２】
確変報知モードがモードＣでなければ（図９のＳ５０３：ＮＯ）、主回路１２０は、確変報知モードが確変状態であることを必ず報知するモードＡであるかどうかを判定し（図９のＳ５０４）、確変報知モードがモードＡでなければ、すなわち確変報知モードが確変状態であることを全く報知しないモードＢであれば（図９のＳ５０４：ＮＯ）、確変報知開始処理を終了する。確変報知モードがモードＡであれば（図９のＳ５０４：ＹＥＳ）、主回路１２０は、確変報知を開始して（図９のＳ５０７）、確変報知開始処理を終了する。
【００７３】
確変報知モードがモードＣであれば（図９のＳ５０３：ＹＥＳ）、主回路１２０は、確変報知判定カウンタＣ４のカウンタ値を抽出し（図９のＳ５０５）、当該カウンタ値が所定の確変報知カウンタ値であるかどうかを判定する（図９のＳ５０６）。当該カウンタ値が所定の確変報知カウンタ値であれば（図９のＳ５０６：ＹＥＳ）、確変報知部２５に確変報知メッセージ「ただいま確変中！」を表示することにより確変報知を開始して（図９のＳ５０７）、確変報知開始処理を終了する。当該カウンタ値が所定の確変報知カウンタ値でなければ（図９のＳ５０６：ＮＯ）、主回路１２０は、確変報知開始処理を終了する。
【００７４】
大当たり終了後は、主回路１２０は、大当たり抽選確率を高めた確変状態と同時に、普図の変動時間を短縮するとともに普図当選時の電チュー開放時間を延長する時短状態を発生する。時短状態が発生している期間は普図の当選回数が多くなるとともに、電チュー１２ａ，１２ａの開放時間が延長されるため、特図始動入賞口１２への入賞率が大幅に高まることになる。なお、時短状態は、特図表示部２１の特図の変動を５０回実行するまで継続する。
【００７５】
本実施例１によれば、遊技者は、自分の好みに合う確変報知モードを任意に選ぶことができるので、常に満足のいく遊技を楽しむことができる。また、気分によって確変報知モードを自由に変えることも可能であり、遊技に変化が生じて興趣が高まる。
【００７６】
ところで、上記実施例１に係るパチンコ遊技機１に関しては、以下のような変形例を考えることができる。
【００７７】
確変報知モードとして、大当たりが発生したときに初めて確変状態であることを報知するモードを設けてもよい。このようなモードでは、確変に対する期待感を持続しつつ、大当たり発生時には確変状態であったのか否かを確認することができる。
【００７８】
また、確変転落抽選に当選するまで確変状態を継続するタイプのパチンコ遊技機を前提として説明したが、本発明が適用されるパチンコ遊技機はこのタイプのパチンコ遊技機に限られるものでない。例えば、次回大当たりが発生するまで確変状態を継続するタイプのパチンコ遊技機や、予め決定された期間だけ確変状態を継続するタイプのパチンコ遊技機にも、本発明を同様に適用することができる。
【００７９】
さらに、確変報知モードに応じて確変状態の大当たり抽選確率を変化させるようにしたが、変化させなくてもよい。
【００８０】
さらにまた、確変報知モードに応じて時短の継続期間（特図変動回数）を変化させるようにしてもよい。例えば、モードＡでは特図変動回数を３０回、モードＢでは特図変動回数を５０回、モードＣでは特図変動回数を４０回のように設定することができる。ただし、時短機能は無くてもよい。
【００８１】
また、前回の大当たり中に選択した確変報知モードと確変継続期間とを、大当たり中に遊技者に対して表示するための前回確変報知モード表示手段を設けてもよい。このようにすれば、前回の大当たりで自分が選択した確変報知モードと、そのときの確変継続期間を確認することが可能となり、今回の大当たりで確変報知モードを選択する際の参考にすることができる。前回にかぎらず、過去複数回の確変報知モードと確変継続時間の履歴情報を表示するようにしてもよい。
【００８２】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００８３】
【図１】本発明の実施例１に係るパチンコ遊技機の正面模式図。
【図２】図１中の表示装置の正面模式図。
【図３】本実施例１に係るパチンコ遊技機の電気的な構成を示す回路ブロック図。
【図４】図３中のＲＡＭ上に確保されている領域を説明する図。
【図５】本実施例１に係るパチンコ遊技機における特図始動入賞処理を示すフローチャート。
【図６】本実施例１に係るパチンコ遊技機における特図変動開始処理を示すフローチャート。
【図７】本実施例１に係るパチンコ遊技機における特図変動停止処理を示すフローチャート。
【図８】本実施例１に係るパチンコ遊技機における確変報知モード設定処理を示すフローチャート。
【図９】本実施例１に係るパチンコ遊技機における確変報知開始処理を示すフローチャート。
【符号の説明】
【００８４】
１  パチンコ遊技機
２  ガラス扉
３  遊技盤
４  玉供給皿
５  玉払出皿
６  ハンドル
７Ａ，７Ｂ，７Ｃ  確変報知モード選択スイッチ（確変報知モード選択手段）
１０  表示装置
１１  普図始動入賞ゲート
１２  特図始動入賞口
１２ａ，１２ａ  電チュー（電動チューリップ）
１３  大入賞装置
２１  特図表示部
２２  普図表示部
２３  特図保留表示部
２４  確変報知モード表示部（確変報知モード表示手段）
２５  確変報知部（確変報知手段）
１２０  主回路（確変報知制御手段）
【図１】
2007037920.tif 000003
【図２】
2007037920.tif 000004
【図３】
2007037920.tif 000005
【図４】
2007037920.tif 000006
【図５】
2007037920.tif 000007
【図６】
2007037920.tif 000008
【図７】
2007037920.tif 000009
【図８】
2007037920.tif 000010
【図９】
2007037920.tif 000011